(57)【要約】      （修正有）【課題】ゾンデを洗浄できるセルフクリーニング機能付きのＴＤＳプローブを提供する。【解決手段】セルフクリーニング機能付きのＴＤＳプローブは、本体１及び本体に接続される洗浄装置２を含む。本体及び洗浄装置が通水室を形成して、本体に通水室と連通している入水口３及び出水口４をそれぞれ備え、本体に検出装置５が接続され、検出装置が通水室の中の水の水質を検出することに用いられ、検出装置がゾンデ６及び回路基板７を含み、ゾンデが本体及び洗浄装置を貫通して設置され、洗浄装置がゾンデの外壁を覆う可撓性スルホールを含み、通水室の中の水の圧力作用で、洗浄装置の可撓性スルホールがゾンデに沿って往復摺動できる。本発明のセルフクリーニング機能付きのＴＤＳプローブは、構造が簡単であり、ＴＤＳプローブを検出精度に回復させることができ、ＴＤＳプローブの使用寿命を延長できる。【選択図】図２
2020076727.tif 000002
【特許請求の範囲】
【請求項１】
本体（１）及び前記本体（１）に接続される洗浄装置（２）を含むセルフクリーニング機
能付きのＴＤＳプローブにおいて、前記本体（１）及び前記洗浄装置（２）が通水室を形
成し、前記本体（１）に前記通水室と連通している入水口（３）及び出水口（４）をそれ
ぞれ備え、前記本体（１）に検出装置（５）が接続され、前記検出装置（５）が前記通水
室の中の水の水質を検出することに用いられ、前記検出装置（５）がゾンデ（６）及び回
路基板（７）を含み、前記ゾンデ（６）が前記本体（１）及び前記洗浄装置（２）を貫通
して設置され、前記洗浄装置（２）が前記ゾンデ（６）の外壁を覆う可撓性スルホールを
含み、前記通水室の中の水の圧力作用で、前記洗浄装置（２）の可撓性スルホールが前記
ゾンデ（６）に沿って往復摺動できることを特徴するセルフクリーニング機能付きのＴＤ
Ｓプローブ。
【請求項２】
前記洗浄装置（２）は、ダイヤフラム（８）及びリセット機構（９）を含み、前記可撓性
スルホールが前記ダイヤフラム（８）に設置され、前記リセット機構（９）が前記ダイヤ
フラム（８）を元の位置に戻させることを特徴とする、請求項１に記載のセルフクリーニ
ング機能付きのＴＤＳプローブ。
【請求項３】
前記リセット機構（９）は、トップカバー（１０）及び弾性部品（１１）を含み、前記ト
ップカバー（１０）が前記本体（１）に接続され、前記弾性部品（１１）が前記ダイヤフ
ラム（８）と前記トップカバー（１０）との間に位置することを特徴とする、請求項２に
記載のセルフクリーニング機能付きのＴＤＳプローブ。
【請求項４】
前記ゾンデ（６）は、前記トップカバー（１０）に当たって、前記ダイヤフラム（８）と
前記リセット機構（９）との間にメンブレンホルダ（１２）が配置され、前記メンブレン
ホルダ（１２）が前記ダイヤフラム（８）にスリーブされ、前記ダイアフラム（８）が前
記ゾンデ（６）に沿って延伸して、フレームスロット（１６）が形成され、前記フレーム
スロット（１６）が前記メンブレンホルダ（１２）を挿入することに用いられ、前記入水
口（３）及び前記出水口（４）に、それぞれクイックジョイント１３が接続され、前記本
体（１）にアウトレットカバー（１４）が接続され、前記アウトレットカバー（１４）及
び前記本体（１）が回路室を形成して、前記回路基板（７）が前記回路室に配置され、前
記アウトレットカバー（１４）にアウトレットポート（１５）が設けられ、前記弾性部品
（１１）がリターンスプリングであり、浄水器に水が無くなった時に、前記ダイアフラム
（８）の中央部分が前記本体（１）に当たって、前記ダイアフラム（８）がゴム製ダイヤ
フラムであり、前記ダイヤフラム（８）の材料がニトリルゴムであり、前記ダイヤフラム
（８）のゴムが研磨ゴムであることを特徴とする、請求項３に記載のセルフクリーニング
機能付きのＴＤＳプローブ。
【発明の詳細な説明】
【技術分野】
【０００１】
本発明は、水質検出の技術領域に関して、特にセルフクリーニング機能を有するＴＤＳプ
ローブに関する。
【背景技術】
【０００２】
浄水器でＴＤＳプローブを利用して水質を検出することは、非常に一般的になっている。
その作動原理は、二つのプローブの間に電圧を印加することによって、陽イオン（例えば
、ナトリウムイオン、カルシウムイオン、マグネシウムイオン、水素イオンなど）を負極
プローブに向かって移動させ、陰イオン（塩化イオン、硫酸イオン、重炭酸イオンなど）
を正極プローブに向かって移動させ、イオンの移動によって電流を形成する。イオンの移
動を検出することによって、浄水器のＴＤＳ値を確定して、それによって水質を判断する
。
【０００３】
日常の浄水器が長時間使用された後、ＴＤＳの測定値がますます高くなっている。人々が
浄水器を検査するが、問題点を発見していない。ＴＤＳの測定値がますます高くなるのは
、一般的には、浄水器の部品が老化するので、浄化効果が悪くなること、或いは、ＴＤＳ
計器が壊されるので、ＴＤＳ計器を更新する必要があって、更に検査部全体を更新したこ
とが引き起こすと認められる。
【発明の概要】
【発明が解決しようとする課題】
【０００４】
しかしながら、ＴＤＳ検出装置が問題はないかもしれないが、浄水器が使用される過程に
おいて、微生物、バクテリア又は水垢等の汚染物がゾンデに付着するので、陽イオン及び
陰イオンの伝送を阻止し、電流の検出に影響を及ぼす。電流の検出が間違うので、当然正
確なＴＤＳ値を得ない。従って、既存のＴＤＳプローブは、次のような問題点を有してい
る。１、長時間使用された後、ＴＤＳプローブのゾンデが汚染されるので、測定値が不正
確になる。 ２、ＴＤＳプローブのゾンデが汚染物質に腐食されるので、使用寿命が短く
なる。特に、ＲＯ膜の廃水処理装置では、廃水が排出された後、ゾンデが汚染されるので
、ＴＤＳプローブが検出偏差を出現しやすい。既存の設計では、装置を分解することによ
って、ＴＤＳプローブを交換するだけことができるので、操作が複雑であり、大量の時間
を浪費する。
【課題を解決するための手段】
【０００５】
本発明は、上記の問題を解決するために、ゾンデを洗浄できるセルフクリーニング機能付
きのＴＤＳプローブを提供する。
【０００６】
セルフクリーニング機能付きのＴＤＳプローブは、本体及び前記本体に接続される洗浄装
置を含む。前記本体及び前記洗浄装置が通水室を形成して、前記本体に前記通水室と連通
している入水口及び出水口をそれぞれ備え、前記本体に検出装置が接続され、前記検出装
置が前記通水室の中の水の水質を検出することに用いられ、前記検出装置がゾンデ及び回
路基板を含み、前記ゾンデが前記本体及び前記洗浄装置を貫通して設置され、前記洗浄装
置が前記ゾンデの外壁を覆う可撓性スルホールを含み、前記通水室の中の水の圧力作用で
、前記洗浄装置の可撓性スルホールが前記ゾンデに沿って往復摺動できる。
【０００７】
本発明の作動原理は、ＴＤＳプローブの本体と洗浄装置とが通水室を形成し、ゾンデが本
体及び洗浄装置を貫通し、ゾンデの部分が通水室に位置して、水質を検出することに用い
られる。本体に通水室と連通している入水口及び出水口をそれぞれ備え、水が入水口から
通水室に流れ込んだ後、洗浄装置がゾンデに沿って摺動して、水が入水口から通水室に流
れ込まなかった後、洗浄装置がゾンデに沿って元の位置に戻る。洗浄装置がゾンデに沿っ
て摺動する過程は、ゾンデを洗濯する目的を実現できる。ゾンデに沿って往復摺動する洗
浄装置が設置されたＴＤＳプローブは、簡単であり、使用しやすく、コストが低く、ゾン
デを洗濯する目的を実現できる。これによって、ＴＤＳプローブの検出を正確な検出数値
に回復させることができ、更にＴＤＳプローブの使用寿命を延長する。
【０００８】
上記セルフクリーニング機能付きのＴＤＳプローブにおいて、前記洗浄装置は、ダイヤフ
ラム及びリセット機構を含み、前記可撓性スルホールが前記ダイヤフラムに設置され、前
記リセット機構が前記ダイヤフラムを元の位置に戻させる。
【０００９】
上記セルフクリーニング機能付きのＴＤＳプローブにおいて、前記リセット機構は、トッ
プカバー及び弾性部品を含み、前記トップカバーが前記本体に接続され、前記弾性部品が
前記ダイヤフラムと前記トップカバーとの間に位置する。
【００１０】
上記セルフクリーニング機能付きのＴＤＳプローブにおいて、前記ゾンデは、前記トップ
カバーに当たる。
【００１１】
上記セルフクリーニング機能付きのＴＤＳプローブにおいて、前記ダイヤフラムと前記リ
セット機構との間にメンブレンホルダが配置され、前記メンブレンホルダが前記ダイヤフ
ラムにスリーブされる。
【００１２】
上記セルフクリーニング機能付きのＴＤＳプローブにおいて、前記ダイアフラムが前記ゾ
ンデに沿って延伸して、フレームスロットが形成され、前記フレームスロットが前記メン
ブレンホルダを挿入することに用いられる。
【００１３】
上記セルフクリーニング機能付きのＴＤＳプローブにおいて、浄水器に水が無くなった時
に、前記ダイアフラムの中央部分が前記本体に当たる。
【００１４】
上記セルフクリーニング機能付きのＴＤＳプローブにおいて、前記入水口及び前記出水口
に、それぞれクイックジョイントが接続される。
【００１５】
上記セルフクリーニング機能付きのＴＤＳプローブにおいて、前記弾性部品がリターンス
プリングである。
【００１６】
上記セルフクリーニング機能付きのＴＤＳプローブにおいて、前記本体にアウトレットカ
バーが接続され、前記アウトレットカバー及び前記本体が回路室を形成して、前記回路基
板が前記回路室に配置され、前記アウトレットカバーにアウトレットポートが設けられる
。
【００１７】
従来技術と比べると、本発明は以下の利点を有する。
【００１８】
１、セルフクリーニング機能付きのＴＤＳプローブの構造が簡単であり、高精度のＴＤＳ
プローブにおいて、複雑な部品を使わず、ＴＤＳゾンデの効果的な自動洗浄を実現できる
。
２、ゾンデが洗浄された後、ＴＤＳプローブが元の検出能力を回復できる。
３、汚染物質に腐食されないように、ゾンデを洗濯できる。これによって、ＴＤＳプロー
ブの使用寿命を延長できる。
【図面の簡単な説明】
【００１９】
【図１】本発明のセルフクリーニング機能付きのＴＤＳプローブの構造を示す図である。
【図２】本発明のセルフクリーニング機能付きのＴＤＳプローブの構造の断面図である。
【発明を実施するための形態】
【００２０】
以下、図面を参照して、本発明のセルフクリーニング機能付きのＴＤＳプローブについて
詳しく説明するが、本発明は、これらの実施例に限定されない。
【００２１】
図１及び図２に示すように、セルフクリーニング機能付きのＴＤＳプローブは、本体１を
備える。本体１及びダイヤフラム８が通水室を形成し、本体１に通水室と連通している入
水口３及び出水口４をそれぞれ備える。検出装置５は、ＴＤＳゾンデ６及び回路基板７を
含む。二つのゾンデ６は、本体１及びダイヤフラム８を貫通して、通水室に延びて、水中
のＴＤＳ値を検出する。また、ダイヤフラム８及びトップカバー１０は、摺動室を形成す
る。ゾンデ６がダイヤフラム８を貫通した後、ゾンデ６の部分は、摺動室に延びる。浄水
器の浄化された水が入水口３から通水室に流れ込んだ後、水の圧力作用で、ダイヤフラム
８は、ゾンデ６に沿ってトップカバー１０に向かって摺動する。浄水器に水が無くなった
後、トップカバー１０及び弾性部品１１の作用で、ダイヤフラム８は、ゾンデ６に沿って
、本体１の底面に向かって摺動して、元の位置に戻る。ダイアフラム８をゾンデ６に沿っ
て往復摺動させ、ゾンデ６の表面に付着している汚染物質を除去でき、ゾンデ６の洗濯を
実現する。ＴＤＳプローブは、更に洗浄装置２を含む。洗浄装置２は、ＴＤＳプローブを
洗浄できるので、プローブの検出精度を保証することができる。また、洗浄装置２は、簡
単なダイヤフラム８、トップカバー１０及び弾性部品１１を含む。水の圧力作用で、ダイ
ヤフラム８をトップカバー１０に向かって移動させることにより、通水室の空間を拡大し
て、通水を便利にならせる。浄水器に水が無くなる時、水圧が減少すると、弾性部品１１
は、トップカバー１０の作用力のもとで、ダイヤフラム８に向かって移動して、ダイヤフ
ラム８を元の位置に戻させるので、ゾンデ６の洗濯の自動化を実現して、毎探測後、ゾン
デ６を洗濯することを確保できる。洗浄された二つのゾンデ６の間のイオンの移動が妨げ
られず、水質を正確に反映でき、各検出データの精度を確保できる。さらに、汚染物質が
除去された後、ゾンデ６がダイヤフラム８とトップカバー１０との間に収縮されるので、
ゾンデ６は、汚染物質及び水蒸気の影響を受けなくなるので、汚染物質がゾンデ６を汚染
することを防止でき、ＴＤＳプローブの使用寿命を延長できる。 
【００２２】
具体的には、ダイヤフラム８とリセット機構９との間にメンブレンホルダ１２が配置され
、メンブレンホルダ１２は、ダイヤフラム８にスリーブされる。ダイアフラム８がゾンデ
６に沿って往復摺動する時、リセット機構９と長時間接触し、摩擦衝突するので、ダイア
フラム８の使用寿命に重大な影響を及ぼす。メンブレンホルダ１２を設置することによっ
て、ダイアフラム８を支持し、保護することができ、ダイアフラム８をリセット機構９の
磨耗及び破壊を受けさせないので、ダイヤフラム８の使用寿命を延長できる。また、メン
ブレンホルダ１２及びダイヤフラム８をバックルで連接することにより、メンブレンホル
ダ１２の位置をより安定させることができ、且つ後期に分解して洗浄すること及び使用に
便利である。具体的には、この構造では、ダイヤフラム８は、カバー状の可撓性ダイヤフ
ラム８であり、ダイヤフラム８の縁部が本体１に接続される。メンブレンホルダ１２もカ
バー状であり、カバー状のメンブレンホルダ１２の頂部及びダイヤフラム８の頂部が完全
にはまり合って当たって、スリーブされるので、メンブレンホルダ１２及びダイヤフラム
８がトップカバー１０との衝突を減少できる。従って、ダイアフラム８の使用寿命を延長
できる。具体的なスリーブ接続方法は、ダイアフラム８のゾンデ６を挿入する箇所に、ダ
イアフラム８がゾンデ６に沿ってトップカバー１０に向かって、フレームスロット１６が
延伸され、メンブレンホルダ１２がフレームスロット１６に挿入されることによって、ス
リーブ接続を実現する。フレームスロット１６は、ダイアフラム８とゾンデ６との摩擦面
を増大でき、ゾンデ６の洗濯をよりよく実現できる。
【００２３】
ダイアフラム８にゾンデ６の全体を洗濯させるために、ダイアフラム８が次の通りに配置
される。浄水器に水が無くなった時に、ダイアフラム８の中央部分を本体１に当たらせる
。これによって、ダイアフラム８の往復運動過程は、ゾンデ６の全体をカバーするので、
ゾンデ６の汚染物質を完全に洗浄できる。
【００２４】
具体的には、入水口３及び出水口４に、それぞれクイックジョイント１３が接続される。
クイックジョイント１３を設置することにより、ＴＤＳプローブを浄水器及び排水チュー
ブにより便利に接続させる。
【００２５】
好ましくは、弾性部品１１がリターンスプリングである。
【００２６】
好ましくは、ダイヤフラム８がゴム製ダイヤフラムである。
【００２７】
好ましくは、ダイヤフラム８のゴム材料がニトリルゴムである。ニトリルゴムは、ブタジ
エンとアクリロニトリルとがエマルジョン重合により製造されたものである。ニトリルゴ
ムは、主に低温エマルジョン重合により製造されるので、優れた耐油性、高い耐摩耗性、
優れた耐熱性及び強い接着性を有する。従って、ダイヤフラム８は、１２０℃の空気又は
１５０℃の油で長時間使用できる。また、ダイヤフラム８は、優れた耐水性、優れた気密
性、強い接着性を有する。従って、ダイヤフラム８の使用寿命を延長でき、ダイヤフラム
８の交換回数を減らすことができる。
【００２８】
好ましくは、ダイヤフラム８のゴムが研磨ゴムである。本実施例において、ダイアフラム
８がゾンデ６の表面を拭いた後、ゾンデ６の清浄度をよりよくならせる。
【００２９】
より具体的には、アウトレットカバー１４及び本体１が回路室を形成する。回路基板７は
、回路室に配置され、アウトレットカバー１４は、アウトレットポート１５が設けられる
。
【００３０】
上記のような実施例が本発明の技術構想及び特徴を説明するだけであり、その目的が当業
者に本発明の内容をよく分からせ、本発明の内容によって実施できることであり、これで
本発明の保護範囲を制限することができない。当業者にとって、本発明の実質及び精神か
ら遊離しない範囲において、いろいろな更正及び変形を行なうことができ、これらが本発
明の保護範囲に属する。
【００３１】
本明細書は、本体１、洗浄装置２、入水口３、出水口４、検出装置５、ゾンデ６、回路基
板７、ダイヤフラム８、リセット機構９、トップカバー１０、弾性部品１１、メンブレン
ホルダ１２、クイックジョイント１３、アウトレットカバー１４、アウトレットポート１
５、フレームスロット１６などの用語を多く使用しているが、他の用語を使用する可能性
を排除しない。これらの用語は、本発明の本質をより簡便に描写及び説明するために使用
される。これらの用語をいかなる追加の制限に説明すれば、本発明の精神と矛盾すること
である。
【符号の説明】
【００３２】
１    本体
２    洗浄装置
３    入水口
４    出水口
５    検出装置
６    ゾンデ
７    回路基板
８    ダイヤフラム
９    リセット機構
１０  トップカバー
１１    弾性部品
１２    メンブレンホルダ
１３    クイックジョイント
１４    アウトレットカバー
１５    アウトレットポート
１６    フレームスロット
【図１】
2020076727.tif 000003
【図２】
2020076727.tif 000004